(57)【要約】【課題】寝たときに確実に指圧効果を発揮することができる枕を提供する。【解決手段】枕（１００）の表面には、両手の形をした凸状体（１２０）が手のひらを上にして形成されている。両手及び両手の指の３次元的形状を定めるファクター（向き、開き方及び角度その他）は、就寝者が両手の上に後頭部を乗せたときに、就寝者の後頭部に対して指圧効果を与えるように設定されている。【選択図】    図１
0003118495.tif 000002
【実用新案登録請求の範囲】
【請求項１】
表面に両手の形をした凸状体が手のひらを上にして形成されている枕であって、
前記両手及び前記両手の指の３次元的形状を定めるファクターは、就寝者が前記両手の上に後頭部を乗せたときに、前記就寝者の前記後頭部に対して指圧効果を与えるように設定されていることを特徴とする枕。
【請求項２】
前記ファクターには、前記両手及び前記両手の指の向き、開き方及び角度が含まれることを特徴とする請求項１に記載の枕。
【請求項３】
発泡材料からなることを特徴とする請求項１または２に記載の枕。
【考案の詳細な説明】
【技術分野】
【０００１】
本考案は枕に関する。
【背景技術】
【０００２】
これまでに、就寝者の頭部や首筋に指圧効果を付与することができる枕（「安眠枕」と呼ばれることが多い）として多くのものが提案されている。
【０００３】
その一例として、実用新案登録公報第３１１２０４０号公報に記載された枕を図２に示す。
【０００４】
図２に示すように、同公報に記載された枕１０は表布Ａと裏布Ｂとを有している。
【０００５】
表布Ａは、平面視で一定の直径Ｄを有するドーナツ型の形状を有し、かつ、一定高さＨの山形断面に折り曲げて隆起させ得る寸法を有している。裏布Ｂは寝床面Ｆへの接地ベースとなるフラットな裏布であり、表布Ａと対応する大きさのドーナツ形状をなしている。
【０００６】
表布Ａと裏布Ｂとは、それらの中心に開口する通気開口縁部１１及び外周縁部１２において、相互に縫い付けられ、中空の内部を形成している。中空の内部には、木材のチップ、そばの実、合成樹脂のビーズその他の粒状物１３が充填されている。
【０００７】
枕１０の中心には通気口Ｃが形成されている。
【０００８】
表布Ａと裏布Ｂとにより形成された中空内部に粒状物１３を満杯状態に充填すると、粒状物１３の全体的な固形化により、枕１０は硬く膨張した状態となる。
【０００９】
この状態において、就寝者Ｍがその頭部１４を枕１０に乗せると、就寝者Ｍの頭部１４は、寝床面Ｆまで沈没する恐れなく、安定して支持され、就寝者Ｍが頭部１４を左右に動かしたり、寝返りを打っても、粒状物１３が頭部１４に追随して変位し、就寝者Ｍの頭部１４や首筋１５に対して、指圧効果を付与することができる。
【考案の開示】
【考案が解決しようとする課題】
【００１０】
図２に示した従来の枕１０の全体的な形状は環状であり、枕１０の中央に形成されている通気口Ｃの大きさは一定である。
【００１１】
このため、就寝者Ｍの頭部１４の大きさが通気口Ｃの大きさに合っていないと、就寝者Ｍの頭部１４や首筋１５に対する指圧効果は必ずしも期待することはできない。
【００１２】
例えば、就寝者Ｍの頭部１４の大きさが通気口Ｃの大きさよりも小さければ、就寝者Ｍの頭部１４は首筋１５においてのみ枕１０上に支持されることになり、就寝者Ｍの首筋１５に対する負担が増加する結果となる。
【００１３】
さらに、図２に示した従来の枕１０においては、枕１０の頂部が就寝者Ｍの頭部１４や首筋１５に当たるだけであるので、就寝者Ｍが期待するような指圧効果が発揮されるか否かは不明である。
【００１４】
本考案はこのような従来の枕１０における問題点に鑑みてなされたものであり、就寝者の頭部の大きさにかかわらず、さらに、確実に指圧効果を発揮することができる枕を提供することを目的とする。
【課題を解決するための手段】
【００１５】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【００１６】
上記の目的を達成するため、本考案は、表面に両手の形をした凸状体（１２０）が手のひらを上にして形成されている枕であって、前記両手及び前記両手の指の３次元的形状を定めるファクターは、就寝者が前記両手の上に後頭部を乗せたときに、前記就寝者の前記後頭部に対して指圧効果を与えるように設定されていることを特徴とする枕（１００）を提供する。
【００１７】
前記ファクターとしては、例えば、前記両手及び前記両手の指の向き、開き方及び角度が含まれる。
【００１８】
本考案に係る枕は、例えば、発泡材料からつくることが好ましい。この場合、発泡材料としては、例えば、ポリウレタンを用いることができる。
【考案の効果】
【００１９】
本考案に係る枕には、両手の形をした凸状体が形成されており、この両手並びにその両手の１０本の指の向き、開き方及び角度は、就寝者が凸状体の上に後頭部を乗せたときに、就寝者の後頭部に対して指圧効果を与えるように設定されている。両手並びにその両手の１０本の指の向き、開き方及び角度は、過去の経験上、後頭部に対して効果があると認められる指圧を行う際の両手及び指の動きに応じて決められる。このため、本考案に係る枕の上に後頭部を乗せた就寝者は、自らの頭部の自重により、実際に後頭部に指圧を受けているのと同様の効能を得ることができる。
【考案を実施するための最良の形態】
【００２０】
図１は、本考案の一実施形態に係る枕１００の斜視図である。
【００２１】
本実施形態に係る枕１００はポリウレタンからなり、ベース部分１１０と、ベース部分１１０上に形成された凸状体１２０とから構成されている。
【００２２】
ベース部分１１０は所定の高さ（例えば、約５ｃｍ）を有する板状の形状をなしている。
【００２３】
図１に示すように、ベース部分１１０上に形成された凸状体１２０は、手のひらを上にした両手の形状をなしている。
【００２４】
凸状体１２０における両手及びその両手の１０本の指の３次元的形状を定めるファクター、例えば、両手及び指の向き、開き方及び角度は、就寝者が両手の上に後頭部を乗せたときに、就寝者の後頭部に対して指圧効果を与えるように設定されている。
【００２５】
すなわち、両手及び１０本の指の向き、開き方、角度その他の３次元的形状を定めるファクターは任意に決められているのではなく、過去の経験上、後頭部に対して効果があると認められる指圧を行う際の両手及び指の動きに応じて決められている。
【００２６】
就寝者はＡ方向に頭を向け、Ｂ方向に脚を向けて、枕１００の上に横たわる。
【００２７】
枕１００の上に後頭部を乗せた就寝者は、自らの頭部の自重により、実際に後頭部に指圧を受けているのと同様の効能を得ることができる。
【００２８】
特に、後頭部と首筋の間の後頭骨と呼ばれる部位に両手の指の部分が当たるように、就寝者が枕１００の上に寝ることにより、肩こり、目の疲れ、頭痛などに対して指圧と同様の効果を得ることができる。
【００２９】
なお、上記の「角度」には曲げの角度とねじりの角度の双方が含まれる。
【００３０】
また、両手及びその両手の１０本の指の３次元的形状を定めるファクターは、両手及び指の向き、開き方及び角度に限定されるものではなく、他の種々のファクターを採用することが可能である。例えば、ある特定の指のみを曲げたり、あるいは、左右の手で指の曲げ方を変えたりすることができる。
【００３１】
本実施形態に係る枕１００はポリウレタンからつくられているが、枕１００の素材はポリウレタンには限定されない。ポリウレタン以外の発泡材料（例えば、発泡スチロールなど）を用いることもできる。
【００３２】
あるいは、本実施形態に係る枕１００の素材としては、発泡材料に限らず、人間の頭になじむような素材であれば、いかなる素材をも用いることができる。例えば、木材、軟質プラスチックなどを用いることもできる。
【図面の簡単な説明】
【００３３】
【図１】本考案の一実施形態に係る枕の斜視図である。
【図２】従来の安眠枕の使用状態を示す断面図である。
【符号の説明】
【００３４】
１００  本考案の一実施形態に係る枕
１１０  ベース部分
１２０  凸状体
【図１】
0003118495.tif 000003
【図２】
0003118495.tif 000004